(57)【要約】【課題】採点者の負担軽減を図るとともに設計自由度の向上を図る。【解決手段】採点端末装置本体１に、答案用紙に設けられている解答欄のうち採点対象の解答欄に対応する領域を識別表示するとともに当該領域に対応する出題番号及び答案用紙に記載されている受験番号を表示するＬＣＤ３１と、ＬＣＤ３１に識別表示されている領域に対応する解答欄に記載されている解答の採点結果を入力するキーボードユニット３３と、答案用紙を搬入してキーボードユニット３３によって入力された採点結果を印字してから搬出するプリンタ部５０と、ＬＣＤ３１とキーボードユニット３３とプリンタ部５０との動作の制御を担う演算制御部６５を備える。【選択図】        図６
2004361755.tif 000002
【特許請求の範囲】
【請求項１】
答案用紙に設けられている解答欄のうち採点対象の解答欄に対応する領域を識別表示するとともに当該領域に対応する出題番号及び前記答案用紙に記載されている受験番号を表示する表示部と、
前記表示部に識別表示されている領域に対応する解答欄に記載されている解答の採点結果を入力する採点結果入力部と、
前記答案用紙を搬入して前記採点結果入力部によって入力された採点結果を印字してから搬出するプリンタ部とを備えることを特徴とする採点端末装置。
【請求項２】
前記プリンタ部は、採点端末装置本体内部であって前記表示部の裏面側に設けられており、前記答案用紙の搬入元を前記表示部の上部とし、前記答案用紙の搬出先を前記表示部の下部としていることを特徴とする請求項１記載の採点端末装置。
【請求項３】
前記採点結果入力部によって入力された採点結果と予め設定されている配点データとに基づいて前記答案用紙に記入されている解答の点数を算出し、算出した点数を複数の採点端末装置本体が相互に接続されているネットワークに向けて出力するとともに、当該ネットワーク側から出力された他の答案用紙に記入されている解答の点数を入力する演算制御部を備えることを特徴とする請求項１又は２記載の採点端末装置。
【請求項４】
前記表示部は、タッチパネル式の表示部であり、前記受験番号、前記採点を行う採点者を特定する情報、前記答案用紙に解答を記載した受験者の学年、当該受験者の試験科目、前記解答欄のフォーマットの少なくとも一つの入力又は表示を可能としていることを特徴とする請求項１から３のいずれか記載の採点端末装置。
【請求項５】
請求項１から４のいずれか記載の採点端末装置を相互に接続して前記各採点端末装置で算出された点数を通信するネットワークと、
前記各採点端末装置と前記ネットワークとを中継して前記各採点端末装置から出力された点数を前記ネットワーク側へ送信し当該ネットワーク側から送信されてきた点数を当該各採点端末装置へ出力する情報処理装置とを備えることを特徴とする採点端末システム。
【請求項６】
答案用紙に設けられている解答欄のうち採点対象の解答欄に対応する領域を識別表示するとともに当該領域に対応する出題番号及び前記答案用紙に記載されている受験番号を表示するように命令するステップと、
前記識別表示されている領域に対応する解答欄に記載されている解答の採点結果が入力された後に前記答案用紙を搬入して前記採点結果入力部によって入力された採点結果を印字してから搬出するように命令するステップとを採点端末装置に搭載された演算制御部に実行させることを特徴とする採点促進プログラム。
【請求項７】
前記採点結果と予め設定されている配点データとに基づいて前記答案用紙に記入されている解答の点数を算出するように命令するステップと、
算出した前記点数を複数の採点端末装置本体が相互に接続されているネットワークに向けて出力するように命令するステップと、
前記ネットワーク側から出力された他の答案用紙に記入されている解答の点数を入力するように命令するステップとを採点端末装置に搭載された演算制御部に実行させることを特徴とする請求項６記載の採点促進プログラム。
【請求項８】
前記識別表示、前記出題番号及び前記受験番号の表示を行う表示部はタッチパネル式の表示部であり、
前記受験番号、前記採点を行う採点者を特定する情報、前記答案用紙に解答を記載した受験者の学年、当該受験者の試験科目、前記解答欄のフォーマットの少なくとも一つの入力を促す画面を表示するように命令するステップ又は前記受験番号、前記採点者を特定する情報、前記受験者の学年、前記試験科目、前記解答欄のフォーマットの少なくとも一つを表示するように命令するステップとを採点端末装置に搭載された演算制御部に実行させることを特徴とする請求項６又は７記載の採点促進プログラム。
【請求項９】
答案用紙に設けられている解答欄のうち採点対象の解答欄に対応する領域を識別表示するとともに当該領域に対応する出題番号及び前記答案用紙に記載されている受験番号を表示するように命令するステップと、
前記識別表示されている領域に対応する解答欄に記載されている解答の採点結果が入力された後に前記答案用紙を搬入して前記採点結果入力部によって入力された採点結果を印字してから搬出するように命令するステップとを採点端末装置に搭載された演算制御部に実行させることを特徴とする採点促進方法。
【請求項１０】
前記採点結果と予め設定されている配点データとに基づいて前記答案用紙に記入されている解答の点数を算出するように命令するステップと、
算出した前記点数を複数の採点端末装置本体が相互に接続されているネットワークに向けて出力するように命令するステップと、
前記ネットワーク側から出力された他の答案用紙に記入されている解答の点数を入力するように命令するステップとを採点端末装置に搭載された演算制御部に実行させることを特徴とする請求項９記載の採点促進方法。
【請求項１１】
前記識別表示、前記出題番号及び前記受験番号の表示を行う表示部はタッチパネル式の表示部であり、
前記受験番号、前記採点を行う採点者を特定する情報、前記答案用紙に解答を記載した受験者の学年、当該受験者の試験科目、前記解答欄のフォーマットの少なくとも一つの入力を促す画面を表示するように命令するステップ又は前記受験番号、前記採点者を特定する情報、前記受験者の学年、前記試験科目、前記解答欄のフォーマットの少なくとも一つを表示するように命令するステップとを採点端末装置に搭載された演算制御部に実行させることを特徴とする請求項９又は１０記載の採点促進方法。
【発明の詳細な説明】
【０００１】
【産業上の利用分野】
本発明は、採点端末装置、採点促進プログラム、採点促進方法及び採点端末システムに関し、特に、学習塾等に設置される採点端末装置、採点促進プログラム、採点促進方法及び採点端末システムに関する。
【０００２】
【従来の技術】
従来、学習塾等に設置される採点端末装置として、例えば採点表示部に答案用紙を載置し、予め答案用紙の各解答欄と対応させて位置決めした表示部分をフォーマット形成し、順次解答欄をトレースしながら評価キーボード操作により入力することにより、演算処理によって自動的に採点し、その結果を記憶媒体に保持し、その後この記憶データに基づいて答案用紙自体に対する採点をその評価とともにプリント印刷することにより全受験者の成績の集計による成績表の作成並びにその出力を容易に達成することができるものがあった。
【０００３】
このような採点端末装置を複数台設置し、各々で行った採点で得られたデータを所要の記憶媒体を介してメインコンピュータに入力することにより、メインコンピュータで全受験者の総合的成績表を作成していた。
【０００４】
また、答案用紙の種別を発光ダイオードＬＥＤにより点滅表示する操作内容表示部を設けていた（特許文献１）。
【０００５】
【特許文献１】
特公平５−７４８２５号公報（第３頁第５欄第７〜２４行）
【０００６】
【発明が解決しようとする課題】
しかし、従来の技術は、採点表示部と操作内容表示部という２つの表示部を備えるようにしていた。このため、採点者が目線をさほど変えずに採点表示部と操作内容表示部との各表示内容を見られるようにするには、採点表示部と操作内容表示部とを相互に近い位置に備える必要があった。したがって、設計自由度が限定的であり、例えばプリンタ部を採点表示部に隣接して配置しなければならないなどレイアウトが選択しにくい、あるいは装置が大型化するなどの問題があり改善の余地があった。
【０００７】
また、従来の技術は、全受験者の総合的成績表を作成する際には、採点で得られたデータを所要の記憶媒体を介してメインコンピュータに入力するようにしていたので、人手を介さないと全受験者の総合的成績表を作成することができず、この点においても採点者の負担軽減が求められていた。
【０００８】
そこで、本発明は、採点者の負担軽減を図ることを目的とする。
【０００９】
また、本発明は、設計自由度の向上を図ることを目的とする。
【００１０】
【課題を解決するための手段】
前記目的を達成するために、本発明の採点端末装置は、答案用紙に設けられている解答欄のうち採点対象の解答欄に対応する領域を識別表示するとともに当該領域に対応する出題番号及び前記答案用紙に記載されている受験番号を表示する表示部と、前記表示部に識別表示されている領域に対応する解答欄に記載されている解答の採点結果を入力する採点結果入力部と、前記答案用紙を搬入して前記採点結果入力部によって入力された採点結果を印字してから搬出するプリンタ部とを備える。
【００１１】
このため、採点前に印字対象の答案用紙をセットするだけで作業でき、採点者の負担軽減を図ることができる。
【００１２】
前記プリンタ部は、採点端末装置本体内部であって前記表示部の裏面側に設けられており、前記答案用紙の搬入元を前記表示部の上部とし、前記答案用紙の搬出先を前記表示部の下部としている。
【００１３】
このように、プリンタ部と表示部とを立体的に配置することによって、設計自由度を向上させ、装置の小型化を図っている。
【００１４】
前記採点結果入力部によって入力された採点結果と予め設定されている配点データとに基づいて前記答案用紙に記入されている解答の点数を算出し、算出した点数を複数の採点端末装置本体が相互に接続されているネットワークに向けて出力するとともに、当該ネットワーク側から出力された他の答案用紙に記入されている解答の点数を入力する演算制御部を備えるようにしている。
【００１５】
こうして、人手を介さずに、全受験者の総合的成績表を作成できるようにして、採点者の負担軽減を図っている。
【００１６】
前記表示部は、タッチパネル式の表示部であり、前記受験番号、前記採点を行う採点者を特定する情報、前記答案用紙に解答を記載した受験者の学年、当該受験者の試験科目、前記解答欄のフォーマットの少なくとも一つの入力又は表示を可能としている。
【００１７】
このように、表示部に入力機能を備えることによって、設計自由度を向上させ、装置の小型化を図っている。
【００１８】
本発明の採点端末システムは、上記いずれか記載の採点端末装置を相互に接続して前記各採点端末装置で算出された点数を通信するネットワークと、前記各採点端末装置と前記ネットワークとを中継して前記各採点端末装置から出力された点数を前記ネットワーク側へ送信し当該ネットワーク側から送信されてきた点数を当該各採点端末装置へ出力する情報処理装置とを備える。
【００１９】
こうして、人手を介さずに、全受験者の総合的成績表を作成できるようにして、採点者の負担軽減を図っている。
【００２０】
本発明の採点促進プログラムは、答案用紙に設けられている解答欄のうち採点対象の解答欄に対応する領域を識別表示するとともに当該領域に対応する出題番号及び前記答案用紙に記載されている受験番号を表示するように命令するステップと、前記識別表示されている領域に対応する解答欄に記載されている解答の採点結果が入力された後に前記答案用紙を搬入して前記採点結果入力部によって入力された採点結果を印字してから搬出するように命令するステップとを採点端末装置に搭載された演算制御部に実行させるようにしている。
【００２１】
このため、採点前に印字対象の答案用紙をセットするだけで作業でき、採点者の負担軽減を図ることができる。
【００２２】
また、前記採点結果と予め設定されている配点データとに基づいて前記答案用紙に記入されている解答の点数を算出するように命令するステップと、算出した前記点数を複数の採点端末装置本体が相互に接続されているネットワークに向けて出力するように命令するステップと、前記ネットワーク側から出力された他の答案用紙に記入されている解答の点数を入力するように命令するステップとを採点端末装置に搭載された演算制御部に実行させるようにしている。
【００２３】
こうして、人手を介さずに、全受験者の総合的成績表を作成できるようにして、採点者の負担軽減を図っている。
【００２４】
さらに、前記識別表示、前記出題番号及び前記受験番号の表示を行う表示部はタッチパネル式の表示部であり、前記受験番号、前記採点を行う採点者を特定する情報、前記答案用紙に解答を記載した受験者の学年、当該受験者の試験科目、前記解答欄のフォーマットの少なくとも一つの入力を促す画面を表示するように命令するステップ又は前記受験番号、前記採点者を特定する情報、前記受験者の学年、前記試験科目、前記解答欄のフォーマットの少なくとも一つを表示するように命令するステップとを採点端末装置に搭載された演算制御部に実行させるようにしている。
【００２５】
このように、表示部に入力機能を備えることによって、設計自由度を向上させ、装置の小型化を図っている。
【００２６】
本発明の採点促進方法は、答案用紙に設けられている解答欄のうち採点対象の解答欄に対応する領域を識別表示するとともに当該領域に対応する出題番号及び前記答案用紙に記載されている受験番号を表示するように命令するステップと、前記識別表示されている領域に対応する解答欄に記載されている解答の採点結果が入力された後に前記答案用紙を搬入して前記採点結果入力部によって入力された採点結果を印字してから搬出するように命令するステップとを採点端末装置に搭載された演算制御部に実行させるようにしている。
【００２７】
【発明の実施の形態】
以下、本発明の実施形態について図面を参照して説明する。
【００２８】
［構成の説明］
図１は、本発明の実施形態の採点端末装置の前面図である。
【００２９】
図２は、図１に示す採点端末装置の背面図である。
【００３０】
図３は、図１に示す採点端末装置の上面図である。
【００３１】
図１には、上筐体部１４と下筐体部１５とを備える採点端末装置本体１と、採点端末装置本体１の前面中央に位置している用紙ストッカー１２と、用紙ストッカー１２上部に位置している用紙取り出し口１３と、下筐体部１５の前面右寄りに位置するフレキシブルディスクドライブ（以下、「ＦＤＤ」と称する。）１１と、ＦＤＤ１１近傍に設けた電源スイッチ１０と、上筐体部１４の上面中央に設けたタッチパネル付き液晶表示部（以下、「ＬＣＤ」と称する。）３１と、ＬＣＤ３１の右側に位置するキーボードユニット３３とを示している。
【００３２】
採点端末装置本体１は、学習塾等に設置されており、採点者等によって行われた採点結果を入力したり、入力した採点結果を答案用紙に印字したり、採点結果の集計を行ったり、集計結果を送受信したりするものである。
【００３３】
なお、上筐体部１４と下筐体部１５とは、背面側でヒンジ接続されており、相互に回動可能とされている。また、上筐体部１４と下筐体部１５とには、ダンパーを取り付けて、下筐体部１５に対して上筐体部１４を開いたときに、その状態を保持できるようにしている。
【００３４】
用紙ストッカー１２は、上記のようにＬＣＤ３１の下部に位置しており、採点端末装置本体１によって採点結果が印字された答案用紙をストックするものであり、ここでは採点端末装置本体１の前面に取り付けたバーによって構成している。
【００３５】
用紙取り出し口１３は、用紙ストッカー１２にストックされた答案用紙を取り出せる取り出し口である。用紙ストッカー１２であるバー上部の隙間が用紙取り出し口１３となる。
【００３６】
ＦＤＤ１１は、記憶媒体であるところのフレキシブルディスク（以下、「ＦＤ」と称する。）に保存されている、各出題に割り当てられている配点データや採点対象の答案の解答欄の位置パターンを示すパターンフォーマットを含む採点用データ等を読み出したり、ＦＤに答案の採点結果を保存したり等の作業を行うためのものである。
【００３７】
なお、パターンフォーマットや配点データ等は、ＦＤから読み出すだけでなく、必要に応じて、後述するキーボードユニット３３等から採点者が入力できるようにしている。
【００３８】
ＬＣＤ３１は、採点者による答案の採点作業の効率化を図るために採点対象の解答欄を識別表示したり、採点結果やその集計結果を表示したり、フレキシブルディスクから読み出したデータの内容を表示したりするものである。その上面に答案用紙が載置され、液晶表示が答案用紙を通過して表示されるように、光度が調節可能で強力なバックライトがＬＣＤ３１の背部に配置される。なお、ＬＣＤ３１に代えて、例えばタッチパネル式の有機ＥＬ，タッチパネル式の電子ペーパーなどを備えるようにしてもよい。
【００３９】
キーボードユニット３３は、後述するように、主として、「０」〜「９」等の数字キーを含むテンキーと、「○」「×」「レ」からなる採点キーと、カーソル位置を切り替える「←」「→」からなるカーソルキーと、所定の処理の実行するように命令するための実行キーとを含むものである。
【００４０】
図２には、下筐体部１５の背面左下に位置している電源接続コネクタ２１と、電源接続コネクタ２１の上方近傍に位置しているＬＡＮ接続コネクタ２２と、上筐体部１４の背面中央に位置している取り付けねじ２３と示している。
【００４１】
電源接続コネクタ２１は、採点端末装置本体１と電源コンセントとを接続する電源接続コードが差し込まれるものである。
【００４２】
ＬＡＮ接続コネクタ２２は、採点端末装置本体１とパーソナルコンピュータ等（以下、「ＰＣ」と称する。）とを接続するＬＡＮケーブルが差し込まれるものである。なお、ＬＡＮ接続コネクタ２２に代えて、無線ＬＡＮポート、赤外線ポートなどを備えるようにしてもよい。
【００４３】
取り付けねじ２３は、採点の際に参照する模範解答を載置する模範解答台（図示せず）を採点端末装置本体１に取り付けるためのものである。
【００４４】
なお、下筐体部１５の背面には、内部の電子機器等の熱損傷を防止するために、放熱用の切り欠きがほぼ前面に亘って複数設けられている。
【００４５】
図３には、図１に示した部分の他に、上筐体部１４の上面奥側、すなわち上記のようにＬＣＤ３１の上部に位置しており、採点結果の印字対象の答案用紙を吸入する答案用紙吸入口３２を示している。
【００４６】
なお、答案用紙吸入口３２近傍には、採点結果を印字する前の答案用紙をストックするストッカー（図示せず）を取り付けられるようにしている。採点者が採点結果の印字に先立って答案用紙をストッカーにストックしておけば、印字の実行時に後述するプリンタ部によって答案用紙が採点端末装置本体１に搬入され、実際に印字が行われてから、用紙ストッカー１２に向けて搬出されるようにしている。
【００４７】
また、答案用紙吸入口３２は、答案用紙の搬入時に開くシャッターが取り付けられており、通常時にはごみ等が答案用紙吸入口３２から採点端末装置本体１内に入らないようにしている。そして、採点および入力終了後に、答案用紙が搬入できるようシャッターが開放される構成となっている。
【００４８】
図４（ａ）は、図１等に示す上筐体部１４に設けられているＬＣＤ３１及びキーボードユニット３３の模式図である。
【００４９】
図４（ｂ）は、図４（ａ）に示す採点操作キー３１Ａ及びガイダンス部３１Ｂの詳細図である。
【００５０】
図４（ａ）には、ＬＣＤ３１の左上方に割り当てた採点操作キー３１Ａと、採点操作キー３１Ａの下方に割り当てたガイダンス部３１Ｂと、ＬＣＤ３１の下側に割り当てた設定画面３１Ｃと、キーボードユニット３３とを示している。
【００５１】
図４（ｂ）に示すように、採点操作キー３１Ａには、採点を開始する際に押下する開始キー３１ａと、ＬＣＤ３１に前画面を表示させたいときに押下する前画面キー３１ｂと、採点対象の答案に係る学年を表示する学年表示部３１ｃと、採点対象の答案に係る科目を表示する科目表示部３１ｄと、パターンフォーマットを表示するパターンフォーマット表示部３１ｅと、採点結果をダンプリスト印刷するときやテスト印字を行う際やタッチパネルのキャリブレーションを図るときに押下するユーティリティキー（ＵＴＹ）３１ｆと、採点終了時に押下する終了キー３１ｇとが含まれる。
【００５２】
ここでは、学年表示部３１ｃに５学年を示す「５」という表示をし、科目表示部３１ｄに社会を示す「社」という表示をし、パターンフォーマット表示部３１ｅにパターンフォーマット２を示す「Ｆ２」を表示している状態を示している。
【００５３】
ガイダンス部３１Ｂには、採点している出題番号を表示する番号表示部３１ｈと、採点中答案数を表示する採点表示部３１ｉと、採点済みの答案数を表示する採点済み表示部３１ｊと、受験番号を表示する受験番号表示部３１ｋとが含まれる。
【００５４】
ここでは、番号表示部３１ｈに出題番号１を示す「Ｑ１」を表示し、採点表示部３１ｉに採点中答案数が１であることを示す「０００１」を表示し、採点済み表示部３１ｊに採点済みの答案数が０であることを示す「００００」を表示し、受験番号表示部３１ｋに受験番号として「ＡＮＮ５００１３」であることを表示している状態を示している。
【００５５】
設定画面３１Ｃには、学年表示部３１ｃに表示する採点対象の答案に記載されている学年を入力したり、科目表示部３１ｄに表示する科目を入力したり、パターンフォーマット表示部３１ｅに表示するパターンフォーマットを入力したり、受験番号表示部３１ｋに表示する受験番号を入力したりする各種キーが割り当てられている。
【００５６】
ここでは、左上側に学年を入力する「１」〜「６」の学年入力キー３３ｌを割り当て、左中側に国語を示す「国」、算数を示す「算」、社会を示す「社」、理科を示す「理」の科目入力キー３３ｍを割り当て、左下側に例えば４つのパターンフォーマットを入力する「Ｆ１」〜「Ｆ４」キー３３ｎを割り当て、右側に「Ａ」〜「Ｚ」のアルファベットキー３３ｏ及び「＋」「−」「÷」「×」「＝」の四則演算記号キー３３ｐを割り当て、下側に設定画面３１Ｃを閉じる「閉じる」キー３３ｑを割り当てた状態を示している。
【００５７】
なお、科目数や、科目の種別、パターンフォーマット数などは例示でありこれに限定されるものではない。また、ＦＤＤ１１に挿入されたフレキシブルディスクから学年、科目、パターンフォーマットが読み出されている場合には、採点者がこれらを設定画面３１Ｃから入力する必要はない。
【００５８】
また、本実施形態では、ＬＣＤ３１に各キーが押下されことを認識すると、押下されたと認識したキーの色を変更することで、採点者に対して認識した旨を報知するようにしている。
【００５９】
キーボードユニット３３は、採点時に誤答があったときに正答を入力等するための「０」〜「９」の数字キー及び小数点あるいはピリオド「．」を入力する小数点入力キー及び「／」を入力するスラッシュ入力キーを含むテンキー３３ａと、正答時に押下する「○」キー及び誤答時に押下する「×」キー及び解答欄が空欄時に押下する「レ」キーを含む採点キー３３ｂと、採点対象の解答欄の切替時に押下する「←」「→」からなるカーソルキー３３ｃと、所定の処理の実行するように命令するための実行キー３３ｄと、採点後に「○」「×」「レ」を付した部分をそれぞれ識別表示するための識別表示キー３３ｅとを含む。
【００６０】
なお、採点キー３３ｂは、内部又は下部には、ＬＥＤ等の発光素子が備えられており、きちんと押下された時に採点キー３３ｂが発光素子によって照明されるようにしている。
【００６１】
図５は、図１等に示す採点端末装置及びこれに備えられているプリンタ部５０の側面図である。なお、説明の都合上、上筐体１４と下筐体１５とを相互に開いた状態を図示している。
【００６２】
図５に示すように、プリンタ部５０は、上筐体１４に備えられている上搬送ユニット５１と、下筐体１５に備えられている下搬送ユニット５３とに大別される。プリンタ部５０は、採点端末装置本体内部であってＬＣＤ３１の裏面側に設けられている。
【００６３】
上搬送ユニット５１は、答案用紙を搬入元である答案用紙吸入口３２から吸入された答案用紙５４を搬入するための搬送ローラ５６と、搬送ローラ５６によって搬入された答案用紙５４を下搬送ユニット５３へ搬出するための搬送ローラ５２とを備えている。
【００６４】
下搬送ユニット５３は、上搬送ユニット５１から搬出された答案用紙５４を搬入する下搬送ユニット用紙入り口５５と、下搬送ユニット用紙入り口５５から搬入された答案用紙５４に対して採点結果等の印字を行う印字部５７とを備えている。なお、下搬送ユニット５３には、印字部５７で印字された答案用紙５４を搬出先である用紙ストッカー１２に向けて搬出する搬送ローラ（図示せず）が備えられている。
【００６５】
図６は、図１等に示す採点端末装置本体１を含む採点端末システムの模式的な構成を示すブロック図である。
【００６６】
図６には、複数の採点端末装置本体１がそれぞれＬＡＮ接続コネクタ２２に接続されたＬＡＮケーブル６２及びＰＣ６０を介して、インターネット等のネットワーク６１に接続されている状態を示している。
【００６７】
図６では、既述の部分に加えて、採点端末装置本体１内に、採点端末装置本体１の動作の制御や採点及びその集計等を担うＣＰＵなどの演算制御部６５を備えた様子を示している。
【００６８】
具体的には、演算制御部６５は、キーボードユニット３３から入力されたデータやＬＣＤ３１から入力されたデータに基づいて、採点及びその集計を行い、採点結果及び集計結果をＬＣＤ３１へ出力するものである。
【００６９】
また、演算制御部６５は、ＬＣＤ３１の採点操作キー３１Ａに含まれる開始キー３１ａの押下に応じて、ＦＤＤ１１を駆動し、挿入されているフレキシブルディスクにされている採点用データを読み出すように命令するものである。
【００７０】
さらに、演算制御部６５は、ＬＣＤ３１の採点操作キー３１Ａに含まれる終了キー３１ｇの押下に応じて、プリンタ部５０に対して答案への採点結果の印字を命令するものである。
【００７１】
さらにまた、演算制御部６５は、ＰＣ６０及びネットワーク６１を介して、自採点端末装置本体１での採点の集計結果を他の採点端末装置本体１に送信したり、採点端末装置本体１での採点の集計結果を受信したりするものである。ＰＣ６０は、演算制御部６５からの受験番号と採点結果データを集計するとともに、他の演算制御部６５からの受験番号と採点結果データをも集計して、受験番号ごとの各教科の採点結果を集積することができる。
【００７２】
なお、ＦＤ又は設定画面３１Ｃからの入力に代えて、ネットワーク６１を通じて採点用データの送受信を行うようにしてもよい。またネットワーク６１に採点データや採点の集計結果を管理する管理サーバを接続して、各ＰＣ６０の負荷を軽減するようにしてもよい。
【００７３】
図７は、図１等に示す自採点端末装置本体１によって採点する答案用紙５４のパターンフォーマットの一例を示す図である。
【００７４】
図８は、図７に示すパターンフォーマットの答案用紙５４に書き込まれた解答の採点結果の一例を示す図である。
【００７５】
図７に示すように、答案用紙５４には、例えば選択式の出題に対する解答欄７Ａと、記述式の出題に対する解答欄７Ｂと、受験番号及び氏名及び性別の記載欄７Ｃと、採点者名及び採点結果の記載欄７Ｄとを設けている。なお、ここでは出題Ａと出題Ｂとの解答欄に大別されており、採点結果として、出題Ａと出題Ｂとの各々の小計点数と、出題Ａと出題Ｂとの合計点数とを記載欄７Ｄに印字するようにしている。
【００７６】
図８には、解答欄に「○」「×」「レ」のいずれかを印字し、受験番号として「ＮＮＮ４０００１」が記載され、採点者として「Ｚ．ＡＢＣ」が印字され、出題Ａの小計点数として「１５」点、出題Ｂの小計点数として「１２」点、出題Ａと出題Ｂの合計点数として「２７」点を印字した状態を示している。
【００７７】
［動作の説明］
つぎに、本実施形態の採点端末装置及びシステムの動作及びこれらを用いて答案用紙５４の採点を行う場合の手順について説明する。
【００７８】
図９〜図１１は、図６に示す演算制御部６５で実行されるプログラムの手順を示すフローチャートである。
【００７９】
図１２は、図１０に示すステップＳ１０の受験番号等認証処理の手順を示すフローチャートである。
【００８０】
図１３は、図１１に示すステップＳ２２の印刷前処理の手順を示すフローチャートである。
【００８１】
図１４は、図１１に示すステップＳ２３の印刷処理の手順を示すフローチャートである。
【００８２】
図１５〜図２０は、図９〜図１４に示すプログラムを実行した場合にＬＣＤ３１に表示される表示内容を示す図である。
【００８３】
まず、図９に示されるように電源スイッチ１０がオンされたことを条件として、ＬＣＤ３１にタイトル画面を表示するために、タイトル画面表示命令を行う（ステップＳ１ａ）。
【００８４】
これにより、ＬＣＤ３１には、図１５（ａ）に示すようなタイトル画面が表示される。なお、ここでは「ＣＭＬ」という文字や採点端末装置本体１のバージョン情報などを示している。
【００８５】
つづいて、開始キー３１ａが押下されたことを条件として、ＦＤＤ１１に対してＦＤの挿入の有無を確認するように命令し、ＦＤＤ１１からの応答に基づいてＦＤが挿入されているか否かを判別する（ステップＳ１ｂ）。
【００８６】
ステップＳ１の判別の結果、ＦＤが挿入されている場合には、ステップＳ３へ移行する。一方、ＦＤが挿入されていない場合には、ＬＣＤ３１にＦＤ挿入を促すためにＦＤ挿入督促画面表示命令を実行する（ステップＳ２）。
【００８７】
これにより、ＬＣＤ３１には、図１５（ｂ）に示すようなＦＤ挿入督促画面が表示される。なお、ここでは「フレキシブルディスク？」という文字を表示するようにしている。
【００８８】
つぎに、ＦＤが挿入されている、あるいはＦＤ挿入督促画面表示に応じて採点者がＦＤを挿入して開始キー３１ａあるいは実行キー３３ｄを押下した場合には、ＦＤの保存内容の読出命令を行う（ステップＳ３）。
【００８９】
つづいて、読み出したＦＤの保存内容に採点用データが含まれているか否かを判別する（ステップＳ４）。
【００９０】
ステップＳ４の判別の結果、読み出したＦＤの保存内容に採点用データが含まれている場合には、読み出した採点用データをＬＣＤ３１に表示させるために、採点用データ表示命令を行う（ステップＳ５）。
【００９１】
これにより、ＬＣＤ３１には、図１５（ｃ），図１５（ｄ）に示すような採点用データが表示される。なお、ここでは、採点対象の答案がＦ２形式であり、５学年の国語の出題に係るものである例を示している。
【００９２】
一方、ステップＳ４の判別の結果、読み出したＦＤの保存内容に採点用データが含まれていない場合には、採点者に対して採点用データを入力するように促す採点用データ入力督促画面をＬＣＤ３１に表示するために、採点用データ入力督促画面表示命令を行う（ステップＳ６）。
【００９３】
具体的には、演算制御部６５内部あるいは図示しないメモリ等に記憶してある配点設定管理ファイルを参照することで、採点用データ入力督促画面を表示可能としている。
【００９４】
これにより、ＬＣＤ３１には、採点用データ入力督促画面が表示される。その後、所要のキーを押下することによって、実際に採点用データが入力されると、例えばそのキーに色づけをすることによって識別可能となる。
【００９５】
つぎに、採点者の氏名などのように、採点者に関する情報の入力を促す採点者情報入力画面表示命令を行う（ステップＳ７）。
【００９６】
その後、実際に採点者に関する情報を入力すると、ＬＣＤ３１には、図１６（ｅ）〜図１６（ｇ）に示すような入力済みの採点者情報入力画面が表示される。なお、ここでは、採点者の氏名が「Ｚ．ＡＢＣ」であり、採点者に割り当てられている採点者ＩＤ番号であるＩＤ１が「１２３４５」であり、採点者に渡す答案用紙５４等が収納されている答案用紙袋に割り当てられている答案用紙袋ＩＤ番号であるＩＤ２が「０１１０１」であり、ＦＤに保存されている区分あるいは任意の区分が「Ｎ」である例を示している。
【００９７】
本実施形態では、採点者の氏名の先頭１文字に名前を入力し、ピリオドの後に名字を入力するように定めており、採点者の入力操作を多くしないために、先頭一文字の入力を条件として演算制御部６５側でピリオドを付すようにしている。また、氏名は例えば３文字以上１４文字以内としている。
【００９８】
採点者ＩＤ番号（ＩＤ１）は、例えば５桁としており、採点者が数字キー３３ａを押下することによって入力するようにしている。
【００９９】
答案用紙袋ＩＤ番号（ＩＤ２）は、例えば５桁としており、内訳は１，２桁目を試験を行った教室の教室番号とし、３桁目を試験科目とし、４，５桁目を答案用紙袋に割り当てられた番号としている。
【０１００】
なお、入力ミスの際には、四則演算記号キー３３ｐの「×」キーを押下することで、カーソルが表示されている文字が消去されるようにしている。
【０１０１】
区分とは、同一教室に所属する生徒を任意の属性で分類し、その分類名の略称となる文字から構成される符号である。
【０１０２】
つづいて、ＬＣＤ３１の表示画面を、採点者情報入力画面から次画面へ表示変更するために、設定キー３３ｑ’が押下されたか否かを判別する（ステップＳ８）。
【０１０３】
ステップＳ８の判別の結果、設定キー３３ｑ’が押下されていない場合には、ステップＳ８へ移行する。
【０１０４】
一方、図１０に示すように設定キー３３ｑ’が押下されていた場合には、採点者への答案用紙５４の受け渡しに誤りがあるか否か等を確認するために、ＩＤ２に対応する、試験を行った教室番号、区分、学年、受験番号を入力するように促す受験番号等入力督促画面をＬＣＤ３１に表示すべく、受験番号等入力督促画面表示命令を行う（ステップＳ９）。
【０１０５】
これにより、ＬＣＤ３１には、図１７（ｈ）に示すような受験番号等入力督促画面が表示される。
【０１０６】
つぎに、受験番号等が正しく入力されているか否かを判別する受験番号等認証処理を行う（ステップＳ１０）。
【０１０７】
ここで受験番号等認証処理は図１２に詳細に示され、受験番号等認証処理では、まず、前画面キー３１ｂである場合と、アルファベットキー３３ｏ又は数字キー３３である場合と、終了キー３１ｇである場合のいずれかのキーが押下されたか否かを判別する（ステップＳ３１）。
【０１０８】
ここで、本実施形態では、押下されたキーに応じた処理を実行可能とするために、プロセス処理を採用しており、ステップの移行先は押下されたキーに応じてプロセスフラグを変更することで、演算制御部５６において認識できるようにしている。
【０１０９】
ステップＳ３１の判別の結果、いずれのキーが押下されていない場合にはステップＳ３１へ移行する。一方、いずれかのキーが押下され、そのキーが前画面キー３１ｂである場合には、採点者情報入力画面表示中であるか否かを判別する（ステップＳ３２）。
【０１１０】
ステップＳ３２の判別の結果、採点者情報入力画面表示中である場合には、ステップＳ３１へ移行する。一方、採点者情報入力画面表示中でない場合には、採点者情報入力画面を表示するために、採点者情報入力画面表示命令を行う（ステップＳ３３）。
【０１１１】
これにより、ＬＣＤ３１には、採点者情報入力画面が表示される。
【０１１２】
また、ステップＳ３１の判別の結果、いずれかのキーが押下されており、そのキーがアルファベットキー３３ｏ又は数字キー３３である場合には、押下されたキーが所要のキーであるか否かの認証を、先に入力されている採点者情報に基づいて判別する（ステップＳ３４）。
【０１１３】
ステップＳ３４の判別の結果、押下されたキーが所要のキーでないと認証をした場合には、そのキーに対応する文字等の表示を行わないでステップＳ３１へ移行する。一方、押下されたキーが所要のキーであるという認証をした場合には、押下の予定されているキーが実際に全て押下されたか否かに基づいて採点者情報の入力が完了したか否かを判別する（ステップＳ３５）。
【０１１４】
ステップＳ３５の判別の結果、採点者情報の入力が完了した場合には、図１０に示すステップＳ１１へ移行する。
【０１１５】
一方、図１２に示すように採点者情報の入力が完了していない場合には、ＬＣＤ３１に表示しているカーソルを右又は下に移動するように命令するとともに、押下されたキーに対応する文字又は数字をＬＣＤ３１に表示するように命令する（ステップＳ３６）。
【０１１６】
これにより、ＬＣＤ３１には、図１７（ｉ）〜図１８（ｍ）に示すように、採点者情報入力画面に文字等が表示される。なお、ここでは、教室データとして「ＡＮ」が表示され（図１７（ｉ））、区分データとして「Ｎ」が表示され（図１７（ｊ））、学年として「５」が表示され（図１７（ｋ））、受験番号として最初に誤った「００１５」が入力された後に（図１７（ｌ））正しい「００１３」が入力されたことが表示されている（図１８（ｍ））状態を示している。
【０１１７】
ちなみに、本実施形態では、受験番号の４桁目の入力後にチェックディジット処理を行うことで受験番号の認証を行っている。図１７（ｌ）に示すように、受験番号が誤って入力された場合には、カーソルを受験番号の先頭に移動させることで、正しい受験番号の再入力を促すようにしている。また、ステップＳ３４で説明したように、教室データ等の入力時に誤ったキーが押下された場合には、そのキーに対応する文字等の表示を行わないようにして、修正のためにカーソル移動等の作業を採点者が行わなくて済むようにしている。
【０１１８】
また、ステップＳ３１の判別の結果、いずれかのキーが押下されており、そのキーが終了キー３１ｇである場合には、ＬＣＤ３１にタイトル画面を表示するために、タイトル画面表示命令３７を行う（ステップＳ３７）。
【０１１９】
これにより、ＬＣＤ３１には、図１５（ａ）に示すように、タイトル画面が表示される。この時までに答案用紙はＬＣＤ上に載置される。
【０１２０】
つぎに、ステップＳ３５の判別の結果、入力が完了した場合には、実行キー３３ｄが押下され、且つ、一枚目の答案を採点することを条件として、図１８（ｎ）に示す「採点開始」表示を行ってから、採点対象の解答欄にマーカを付すために、マーカ表示命令を行う（ステップＳ１１）。
【０１２１】
これにより、ＬＣＤ３１には、図１８（ｏ）に示すように、採点対象の解答欄にマーカが表示される。このマーカは答案用紙の採点位置を示しており、マーカ位置が載置された答案用紙を透過する。なお、本実施形態では、マーカ表示命令とともに、受験番号等を受験番号表示部３１ｋに表示するように命令して、採点者に受験番号等を報知している。
【０１２２】
つづいて、再び図１０に戻り、採点キー３３ｂが押下されたか否かを判定する（ステップＳ１２）。
【０１２３】
ステップＳ１２の判定の結果、採点キー３３ｂが押下されていない場合には、ステップＳ１２へ移行する。一方、採点キー３３ｂが押下された場合には、その旨を採点者に報知するために、ＬＣＤ３１に採点マークを表示すべく採点マーク表示命令を行うとともに、採点キー３３ｂに付帯する発光素子を点灯させるべく採点キー点灯命令を行う（ステップＳ１３）。
【０１２４】
これにより、ＬＣＤ３１には、図１８（ｐ）あるいは図１９（ｒ）に示すように、採点マークであるところの「○」あるいは「×」が表示され、また、採点キー３３ｂに付帯する発光素子が発光する。
【０１２５】
つぎに、採点マークの表示等を停止するか否かを判断するために、採点キー３３ｂの押下が終了したか否かを判定する（ステップＳ１４ａ）。
【０１２６】
ステップＳ１４ａの判定の結果、採点キー３３ｂの押下が終了していない場合には、ステップＳ１４ａへ移行する。一方、採点キー３３ｂの押下が終了した場合には、ＬＣＤ３１に表示している採点マークの表示を停止すべく表示停止命令を行うとともに、採点キー３３ｂに付帯する発光素子を消灯させるべく消灯命令を行う（ステップＳ１４ｂ）。
【０１２７】
つづいて、答案に誤答があった場合に採点者が正答等を入力するという誤答設定がされているか否かを判定する（ステップＳ１５）。
【０１２８】
ステップＳ１５の判定の結果、誤答設定がされていない場合には、ステップＳ１９へ移行する。一方、誤答設定がされている場合には、ステップＳ１２で押下されたと判定された採点キー３３ｂが誤答キー「×」であるか否かを判定する（ステップ１６）。
【０１２９】
ステップＳ１６の判定の結果、採点キー３３ｂが誤答キー「×」でない場合には、ステップＳ１９へ移行する。一方、採点キー３３ｂが誤答キー「×」である場合には、正答等を入力するように促す明細入力督促画面をＬＣＤ３１へ表示するために、明細入力督促画面表示命令を行う（ステップＳ１７）。
【０１３０】
これにより、ＬＣＤ３１には、図１９（ｓ）に示すように、明細入力督促画面が表示される。この明細入力督促画面は、誤答分析という処理を行なうことに使用される。誤答分析の際は、誤答に対して「×」情報に加えて間違った誤答の種類情報を予め定められた対応表に基いて数字等の記号に変換して入力される。すなわち、無回答である場合には「０」を割り当て、他の数値であればその数値を入力する等の対応表の変換である。
【０１３１】
なお、ステップＳ１４ａに示す判定処理に先立って、ステップＳ１５〜ステップＳ１７を実行するようにしてもよい。この場合には、ステップＳ１５，ステップＳ１６で「Ｎ」と判定された場合及びステップＳ１７の後の移行先は、ステップＳ１４ａとなる。
【０１３２】
つぎに、ＬＣＤ３１の表示画面を明細入力督促画面から次画面に変更するために、明細入力が終了したことを示す設定キー３３ｑ’が押下されたか否かを判定する（ステップＳ１８）。
【０１３３】
ステップＳ１８の判定の結果、設定キー３３ｑ’が押下されていない場合には、ステップＳ１８へ移行する。一方、設定キー３３ｑ’が押下された場合には、図１１に示すように、採点が終了したか否かを判定する（ステップＳ１９）。
【０１３４】
ステップＳ１９の判定の結果、採点が終了していない場合には、マーカの表示位置を次の採点対象の解答欄へ移動するように命令するとともに番号表示部３１ｈに表示している出題番号を１つ繰り上げてからステップＳ１９へ移行する（ステップＳ２０）。
【０１３５】
これにより、ＬＣＤ３１には、図１９（ｔ）に示すように、それまでの表示位置から移動させた領域に、マーカ位置が表示された画面が表示される。
【０１３６】
一方、ステップＳ１９の判定の結果、採点が終了した場合には、ＦＤから読み出した配点データ等に基づいて小計及び合計点数をそれぞれ割り出し、合計点数を示す画面及び採点の確認を促す画面をＬＣＤ３１に表示するために、点数及び確認督促画面表示命令を行う（ステップＳ２１）。
【０１３７】
これにより、ＬＣＤ３１には、図１９（ｕ）に示すように、点数及び確認督促画面が表示される。なお、ここでは、「２８点」が表示された例を示しているが、併せて小計点数を表示するようにしてもよい。
【０１３８】
その後、採点結果を答案用紙５４に印刷するのに先立って、採点の訂正等を実行可能な印刷前処理を行う（ステップＳ２２）。
【０１３９】
印刷前処理の詳細は図１３に示し、まず、カーソルキー３３ｃと、採点キー３３ｂと、確認キー３３ｅと、実行キー３３ｄとのいずれかのキーが押下されたか否かを判別する（ステップＳ４１）。
【０１４０】
ここで、本実施形態では、押下されたキーに応じた処理を実行可能とするために、プロセス処理を採用しており、ステップの移行先は押下されたキーに応じてプロセスフラグを変更することで、演算制御部６５において認識できるようにしている。
【０１４１】
ステップＳ４１の判別の結果、いずれのキーが押下されていない場合にはステップＳ４１へ移行する。一方、いずれかのキーが押下され、そのキーがカーソルキー３３ｃである場合には、カーソルキー３３ｃに応じた方向へカーソル移動するために、カーソル移動命令を行ってからステップＳ４１へ移行する（ステップＳ４２）。
【０１４２】
なお、数字キー３３ａの「１」が押下された時に解答欄の最初にカーソルを移動させ、「９」が押下された時に解答欄の最終にカーソルを移動させるようにしてもよい。
【０１４３】
また、ステップＳ４１の判別の結果、いずれかのキーが押下され、そのキーが採点キー３３ｂである場合には、カーソルのある位置で先に行った採点結果を訂正するために採点結果の差替命令を行う（ステップＳ４８）。
【０１４４】
また、ステップＳ４１の判別の結果、いずれかのキーが押下され、そのキーが確認キー３３ｅである場合には、確認キー３３ｅに対応する採点箇所のマークを点灯するために、マーク点灯命令を行う（ステップＳ４３）。
【０１４５】
これにより、ＬＣＤ３１には、図１９（ｖ）に示すように、確認キー３３ｅに対応する採点箇所のマークの点灯画面が表示される。このため採点結果の確認が容易にできる。
【０１４６】
つぎに、確認キー３３ｅに対応する採点箇所のマークの消灯を行うか否かを判断するために、確認キー３３ｅの押下が終了したか否かを判定する（ステップＳ４４）。
【０１４７】
ステップＳ４４の判定の結果、確認キー３３ｅの押下が終了していない場合には、ステップＳ４４へ移行する。一方、確認キー３３ｅの押下が終了した場合には、マークの消灯命令を行ってからステップＳ４１へ移行する（ステップＳ４５）。
【０１４８】
また、ステップＳ４１の判別の結果、いずれかのキーが押下され、そのキーが実行キー３３ｄである場合には、採点の終了待ち画面をＬＣＤ３１に表示するために、終了待ち画面表示命令を行う（ステップＳ４６）。
【０１４９】
これにより、ＬＣＤ３１には、図２０（ｗ）に示すように、採点の終了待ちを示す「↑」が画面中央に表示される。なお、本実施形態では、終了待ち画面表示命令を行うとともに採点済み表示部３１ｊに表示データをカウントアップする命令を行うようにしている。
【０１５０】
つぎに、採点結果を答案用紙５４に印刷するのに先立って、ＦＤへの採点データの保存あるいはＬＡＮケーブル６２を介してＰＣ６０への採点データの送信処理を行ってからステップＳ２３へ移行する（ステップＳ４７）。
【０１５１】
以上の図１３に示した印刷前処理が終了すると、図１１に戻り、採点結果を答案用紙５４に印刷するという印刷処理を行う（ステップＳ２３）。
【０１５２】
この印刷処理は、図１４に詳細に示し、印刷処理は、まず、ＬＣＤ３１に印刷実行中であることを示す「ＰＲＩＮＴ」という文字を表示するために、ＰＲＩＮＴ表示命令を行う（ステップＳ５２）。
【０１５３】
これにより、ＬＣＤ３１には、図２０（ｘ）に示すように、「ＰＲＩＮＴ」という文字が表示される。
【０１５４】
その後、答案用紙５４に対して採点結果の印字する準備が完了したことを条件として、ＬＣＤ３１の画面中央に表示していた「↑」方向に、採点者が採点していた採点答案を画面上方へ移動させてから、採点装置が答案用紙５４が答案用紙吸入口３２近傍のストッカーにセットされているか否かを判定する（ステップＳ５３）。
【０１５５】
ステップＳ５３の判定の結果、答案用紙５４が答案用紙吸入口３２近傍のストッカーにセットされていない場合には、ステップＳ５３へ移行する。一方、答案用紙５４が答案用紙吸入口３２近傍のストッカーにセットされている場合には、プリンタ部５０で答案用紙５４に採点結果を印字するために、上搬送ユニット５１の搬送ローラ５６，５２によって、答案用紙吸入口３２から下搬送ユニット５３の下搬送ユニット用紙入り口５５の中に位置する印字部５７へ向けて答案用紙５４の搬入命令を行う（ステップＳ５４）。
【０１５６】
つづいて、搬入された答案用紙５４に対して採点結果の印字するように、印字命令を行う（ステップＳ５５）。
【０１５７】
すると、採点者の入力した採点結果が、搬入された答案用紙５４に対して印字される。
【０１５８】
つぎに、印字された答案用紙５４をプリンタ部５０から搬出するために、搬出命令を行う（ステップＳ５６）。
【０１５９】
この結果、印字された答案用紙５４が、用紙ストッカー１２にストックされ、用紙取り出し口１３から取り出し可能な状態になる。
【０１６０】
その後、ＬＣＤ３１へのＰＲＩＮＴという文字の表示を停止するために、表示停止命令を行ってから、図１１に示すステップＳ２４へ移行する（ステップＳ５７）。
【０１６１】
つぎに、引き続き同内容の答案の採点を行うか、答案の採点を終了するかを判断するために、終了キー３３ｇが押下されたか否かを判定する（ステップＳ２４）。
【０１６２】
ステップＳ２４の判定の結果、終了キー３３ｇが押下された場合には、答案の採点を終了してステップＳ１ａへ移行する。一方、終了キー３３ｇが押下されていない場合には、引き続き同じパターンフォーマットで同じ出題に対する答案の採点を行うためにステップＳ９へ移行する。
【０１６３】
なお、プリンタ部５０に紙詰まり等が発生した場合には、ユーティリティキー３１ｆを押下することで、テスト印字を行えばよい。
【０１６４】
つぎに、全ての答案に対する採点結果が各ＰＣ６０に送信された後に、ＰＣ６０相互でネットワーク６１を介して、ＰＣ６０のいずれか又は管理サーバ等で全採点結果の集計を行う。
【０１６５】
そして、各採点機で採点された科目ごとの個人の採点結果を各個人の受験番号に対応させて集計し、合計点、順位、偏差値等を含む総合成績表を作成するためのデータ、及び個人別成績表を作成するためのデータを生成する。生成したデータはネットワーク６１を介して、各ＰＣ６０または、図示しないホスト端末に送信する。こうして、人手を介することなく各ＰＣ６０で総合成績表等の閲覧、プリント出力等行えるようにしている。
【０１６６】
【発明の効果】
以上説明したように、本発明によると、採点前に印字対象の答案用紙をセットするだけで作業でき、また、人手を介さずに全受験者の総合的成績表を作成できるので、採点者の負担軽減を図ることができる。
【０１６７】
また、本発明によると、プリンタ部と表示部とを立体的に配置したり、表示部に入力機能を備えたりしているので、設計自由度の向上を図ることができる。
【図面の簡単な説明】
【図１】本発明の実施形態の採点端末装置の前面図である。
【図２】図１に示す採点端末装置の背面図である。
【図３】図１に示す採点端末装置の上面図である。
【図４】図１等に示す上筐体部１４に設けられているＬＣＤ３１及びキーボードユニット３３の模式図（ａ）とその一部の拡大図（ｂ）である。
【図５】図１等に示す採点端末装置及びこれに備えられているプリンタ部５０の側面図である。
【図６】図１等に示す採点端末装置本体１を含む採点端末システムの模式的な構成を示すブロック図である。
【図７】図１等に示す自採点端末装置本体１によって採点する答案用紙５４のパターンフォーマットの一例を示す図である。
【図８】図７に示すパターンフォーマットの答案用紙５４に書き込まれた解答の採点結果の一例を示す図である。
【図９】図６に示す演算制御部６５で実行されるプログラムの手順を示すフローチャートである。
【図１０】図６に示す演算制御部６５で実行されるプログラムの手順を示すフローチャートである。
【図１１】図６に示す演算制御部６５で実行されるプログラムの手順を示すフローチャートである。
【図１２】図１０に示すステップＳ１０の受験番号等認証処理の手順を示すフローチャートである。
【図１３】図１１に示すステップＳ２２の印刷前処理の手順を示すフローチャートである。
【図１４】図１１に示すステップＳ２３の印刷処理の手順を示すフローチャートである。
【図１５】図９〜図１４に示すプログラムを実行した場合にＬＣＤ３１に表示される表示内容を示す図であり、タイトル画面（ａ）、ＦＤ挿入督促画面（ｂ）採点用データ読出画面（ｃ）、採点用データ読出画面拡大図（ｄ）を示す。
【図１６】図９〜図１４に示すプログラムを実行した場合にＬＣＤ３１に表示される表示内容を示す図であり、採点情報入力画面（ｅ）、採点者情報画面拡大図（ｆ）、採点者情報画面拡大図（ｇ）を示す。
【図１７】図９〜図１４に示すプログラムを実行した場合にＬＣＤ３１に表示される表示内容を示す図であり、採点用データ入力督促画面（ｈ）〜（ｌ）を示す。
【図１８】図９〜図１４に示すプログラムを実行した場合にＬＣＤ３１に表示される表示内容を示す図であり、採点者情報入力画面（ｍ）、採点画面（ｎ）〜（ｑ）を示す。
【図１９】図９〜図１４に示すプログラムを実行した場合にＬＣＤ３１に表示される表示内容を示す図であり、採点画面（ｒ）、明細入力督促画面（ｓ）〜（ｖ）を示す。
【図２０】図９〜図１４に示すプログラムを実行した場合にＬＣＤ３１に表示される表示内容を示す図であり、採点終了待画面（ｗ）、印刷処理画面（ｘ）、印字準備完了画面（ｙ）を示す。
【符号の説明】
１  採点端末装置本体
１０  電源スイッチ
１１  ＦＤＤ
１２  用紙ストッカー
１３  用紙取り出し口
１４  上筐体部
１５  下筐体部
２１  電源接続コネクタ
２２  ＬＡＮ接続コネクタ
２３  取り付けねじ
３１  ＬＣＤ
３１Ａ  採点操作キー
３１Ｂ  ガイダンス部
３１Ｃ  設定画面
３１ａ  開始キー
３１ｂ  前画面キー
３１ｃ  学年表示部
３１ｄ  科目表示部
３１ｅ  パターンフォーマット表示部
３１ｆ  ユーティリティキー
３１ｇ  終了キー
３１ｈ  番号表示部
３１ｉ  採点表示部
３１ｊ  採点済み表示部
３１ｋ  受験番号表示部
３１ｌ  学年入力キー
３２  答案用紙吸入口
３３  キーボードユニット
３３ａ  テンキー
３３ｂ  採点キー
３３ｃ  カーソルキー
３３ｄ  実行キー
３３ｅ  識別表示キー
３３ｍ  科目入力キー
３３ｎ  「Ｆ１」〜「Ｆ４」キー
３３ｏ  アルファベットキー
３３ｐ  四則演算記号キー
３３ｑ  閉じるキー
５０  プリンタ部
５１  上搬送ユニット
５２  搬送ローラ
５３  下搬送ユニット
５４  答案用紙
５５  下搬送ユニット用紙入り口
５６  搬送ローラ
５７  印字部
６１  ネットワーク
６２  ＬＡＮケーブル
６０  ＰＣ
６５  演算制御部
７Ａ  解答欄
７Ｂ  解答欄
７Ｃ  記載欄
７Ｄ  記載欄
【図１】
2004361755.tif 000003
【図２】
2004361755.tif 000004
【図３】
2004361755.tif 000005
【図４】
2004361755.tif 000006
【図５】
2004361755.tif 000007
【図６】
2004361755.tif 000008
【図７】
2004361755.tif 000009
【図８】
2004361755.tif 000010
【図９】
2004361755.tif 000011
【図１０】
2004361755.tif 000012
【図１１】
2004361755.tif 000013
【図１２】
2004361755.tif 000014
【図１３】
2004361755.tif 000015
【図１４】
2004361755.tif 000016
【図１５】
2004361755.tif 000017
【図１６】
2004361755.tif 000018
【図１７】
2004361755.tif 000019
【図１８】
2004361755.tif 000020
【図１９】
2004361755.tif 000021
【図２０】
2004361755.tif 000022